(57)【要約】【課題】インパクトプリンタ、ノンインパクトプリントプリンタの両方に対応した配送伝票用シートを提供する。【解決手段】  上基材と下基材とを有し、上基材の裏面と下基材の表面とが対面するように一部非接着部分を残して接着して積層され、上基材の表面と下基材の裏面にノンインパクトプリンタによる印字領域を有し、かつ上基材の非接着部分の一部を切り離し、切り離された開口部分から下基材の一部を上基材側に折り返し、下基材裏面の前記折り返した部分に印圧をもって記入した情報が、上基剤表面及び下基剤表面の２つの複写部に対して同時に複写される複写機能を有する配送伝票用シートにより解決される。【選択図】図９
2010089414.tif 000002
【特許請求の範囲】
【請求項１】
上基材と下基材とを有し、上基材の裏面と下基材の表面とが対面するように積層され、
上基材表面に第１情報記入部と第１無記入部とを有し、前記第１情報記入部と第１無記入部はそれぞれ切り取り補助線で囲まれ、第１無記入部は第１情報記入部と切り取り補助線を介して配され、
下基材裏面に第２情報記入部、第３情報記入部を有し、下基材表面の前記第３情報記入部の裏部分に第４情報記入部を有し、第２情報記入部と第３情報記入部が切り取り補助線で囲まれ、第３情報記入部は第２情報記入部と切り取り補助線を介して配されるとともに、第２情報記入部が第１無記入部に、第３情報記入部が第１情報記入部に、それぞれ重なる位置に配され、
上基材表面の第１情報記入部の少なくとも一部に第１複写部を、下基材表面の第４情報記入部の少なくとも一部に第２複写部を有し、
下基材表面の前記第１無記入部が重なる部分に第１複写機能層を有し、前記第１複写部は少なくともこの第１複写機能層の複写機能により被複写可能であり、
上基材表面の前記第１複写部の裏に相当する部分に第２複写機能層を有し、
前記第２複写部は少なくともその第２複写機能層の複写機能により被複写可能であり、
上基材裏面の周縁部の少なくとも一部に粘着部を有し、
下基材の前記粘着部に対応する部位に分割補助線を有し、
下基材は、少なくとも分割補助線より縁側の領域において前記粘着部に対して剥離可能とされ、この領域の剥離により前記粘着部の一部又は全部が露出される、
ことを特徴とする配送伝票用シート。
【請求項２】
前記第１無記入部を切り離し、切り離された部分に相当する下基材の第２情報記入部を切り取り補助線に沿って三方を切り離し、残り一方の切り取り補助線に従って上基材側に折り返して第１情報記入部の少なくとも一部に重ねることにより、第２情報記入部に対して印圧をもって記入した情報が第１複写部及び第２複写部に複写される、請求項１に記載の配送伝票用シート。
【請求項３】
前記第１複写機能層がカーボン層であり、前記第２複写機能層が発色剤層であり、下基材表面の前記第２複写部に相当する部分に顕色剤層が配されている、請求項１または２に記載の配送伝票用シート。
【請求項４】
前記上基材表面に第５情報記入部を有し、
前記下基材裏面に、第６情報記入部を有し、第６情報記入部が切り取り補助線で囲まれるとともに、第２無記入部が第５情報記入部にそれぞれ重なる位置に配され、
上基材表面の第５情報記入部の裏部分と周縁部に粘着部を有し、
下基材の前記粘着部に対応する部位に分割補助線を有し、
下基材は少なくとも前記粘着部に対して剥離可能とされ、この領域の剥離により前記粘着部の一部又は全部が露出される、
請求項１から３のいずれかに記載の配送伝票用シート。
【請求項５】
前記第１情報記入部、第３情報記入部及び／又は第６情報記入部の内部に切り取り補助線を１本以上有し、前記情報記入部を２つ以上に分割することが可能な請求項１から４のいずれかに記載の配送伝票用シート。
【請求項６】
上基材と下基材は、第２情報記入部、第３情報記入部に対応する部位の外側周縁部に剥離不能な接着部分を有し、さらに前記剥離不能な接着部分の外側周縁部に剥離可能な接着部分を有し、前記剥離不能な接着部分と剥離可能な接着部分の境界線に分割補助線が形成されている請求項１から５のいずれかに記載の配送伝票用シート。
【請求項７】
上基材と下基材は、第２情報記入部、第３情報記入部及び第６情報記入部に対応する部位の外側周縁部に剥離不能な接着部分を有し、さらに前記剥離不能な接着部分の外側周縁部及び第５情報記入部に対応する部位に剥離可能な接着部分を有し、前記剥離不能な接着部分と剥離可能な接着部分の境界線に分割補助線が形成されている請求項４または５記載の配送伝票用シート。
【発明の詳細な説明】
【技術分野】
【０００１】
本発明は、宛先情報等を記入して配送品に貼付して用いる配送伝票用シートに関し、特に、インパクトプリンタ、ノンインパクトプリンタを用いて印字・印刷可能な配送伝票用シートに関する。
【背景技術】
【０００２】
配送伝票用シートにおいては、記入情報の複写が必要な場合には、バックカーボン紙やノーカーボン紙等の複写機能を有する帳票を複数枚重ねて綴じ合わせた複写構造のものが用いられている。
この構造の配送伝票用シートは、紙面がコンパクトであり、手書きによっても複写が可能であるといった利点があるが、高速印字が可能であるとともに普及率の高いインクジェットプリンタやレーザープリンタ等のノンインパクトプリンタが利用できないという欠点がある。
しかし、配送伝票用シートに記入するすべての情報について複写が必要ではない場合もあり、このような複写の必要ではない情報について高速なノンインパクトプリンタによる印字が可能となれば利便性が高まるとともに、コストの削減にも繋がる。
【特許文献１】特開平７−１３４５５４公報
【特許文献２】特開平１１−２８８７６号公報
【特許文献３】特開２００７−１１５０号公報
【発明の開示】
【発明が解決しようとする課題】
【０００３】
そこで、本発明の主たる課題は、複写不要な情報についてはノンインパクトプリンタによって高速に印字をすることができ、複写が必要な情報についてはインパクトプリンタや手書き等によって複写を取ることができる、プリンタ印刷に適した厚さの配送伝票用シートを提供することにある。
【課題を解決するための手段】
【０００４】
上記課題を解決した本発明は次記のとおりである。
＜請求項１記載の発明＞
上基材と下基材とを有し、上基材の裏面と下基材の表面とが対面するように積層され、
上基材表面に第１情報記入部と第１無記入部とを有し、前記第１情報記入部と第１無記入部はそれぞれ切り取り補助線で囲まれ、第１無記入部は第１情報記入部と切り取り補助線を介して配され、
下基材裏面に第２情報記入部、第３情報記入部を有し、下基材表面の前記第３情報記入部の裏部分に第４情報記入部を有し、第２情報記入部と第３情報記入部が切り取り補助線で囲まれ、第３情報記入部は第２情報記入部と切り取り補助線を介して配されるとともに、第２情報記入部が第１無記入部に、第３情報記入部が第１情報記入部に、それぞれ重なる位置に配され、
上基材表面の第１情報記入部の少なくとも一部に第１複写部を、下基材表面の第４情報記入部の少なくとも一部に第２複写部を有し、
下基材表面の前記第１無記入部が重なる部分に第１複写機能層を有し、前記第１複写部は少なくともこの第１複写機能層の複写機能により被複写可能であり、
上基材表面の前記第１複写部の裏に相当する部分に第２複写機能層を有し、
前記第２複写部は少なくともその第２複写機能層の複写機能により被複写可能であり、
上基材裏面の周縁部の少なくとも一部に粘着部を有し、
下基材の前記粘着部に対応する部位に分割補助線を有し、
下基材は、少なくとも分割補助線より縁側の領域において前記粘着部に対して剥離可能とされ、この領域の剥離により前記粘着部の一部又は全部が露出される、
ことを特徴とする配送伝票用シート。
【０００５】
＜請求項２記載の発明＞
前記第１無記入部を切り離し、切り離された部分に相当する下基材の第２情報記入部を切り取り補助線に沿って三方を切り離し、残り一方の切り取り補助線に従って上基材側に折り返して第１情報記入部の少なくとも一部に重ねることにより、第２情報記入部に対して印圧をもって記入した情報が第１複写部及び第２複写部に複写される、請求項１に記載の配送伝票用シート。
【０００６】
＜請求項３記載の発明＞
前記第１複写機能層がカーボン層であり、前記第２複写機能層が発色剤層であり、下基材表面の前記第２複写部に相当する部分に顕色剤層が配されている、請求項１または２に記載の配送伝票用シート。
【０００７】
＜請求項４記載の発明＞
前記上基材表面に第５情報記入部を有し、
前記下基材裏面に、第６情報記入部を有し、第６情報記入部が切り取り補助線で囲まれるとともに、第２無記入部が第５情報記入部にそれぞれ重なる位置に配され、
上基材表面の第５情報記入部の裏部分と周縁部に粘着部を有し、
下基材の前記粘着部に対応する部位に分割補助線を有し、
下基材は少なくとも前記粘着部に対して剥離可能とされ、この領域の剥離により前記粘着部の一部又は全部が露出される、
請求項１から３のいずれかに記載の配送伝票用シート。
【０００８】
＜請求項５記載の発明＞
前記第１情報記入部、第３情報記入部及び／又は第６情報記入部の内部に切り取り補助線を１本以上有し、前記情報記入部を２つ以上に分割することが可能な請求項１から４のいずれかに記載の配送伝票用シート。
【０００９】
＜請求項６記載の発明＞
上基材と下基材は、第２情報記入部、第３情報記入部に対応する部位の外側周縁部に剥離不能な接着部分を有し、さらに前記剥離不能な接着部分の外側周縁部に剥離可能な接着部分を有し、前記剥離不能な接着部分と剥離可能な接着部分の境界線に分割補助線が形成されている請求項１から５のいずれかに記載の配送伝票用シート。
【００１０】
＜請求項７記載の発明＞
上基材と下基材は、第２情報記入部、第３情報記入部及び第６情報記入部に対応する部位の外側周縁部に剥離不能な接着部分を有し、さらに前記剥離不能な接着部分の外側周縁部及び第５情報記入部に対応する部位に剥離可能な接着部分を有し、前記剥離不能な接着部分と剥離可能な接着部分の境界線に分割補助線が形成されている請求項４または５記載の配送伝票用シート。
【発明の効果】
【００１１】
本発明によれば、複写不要な情報についてはノンインパクトプリンタによって高速に印字をすることができ、複写が必要な情報についてはインパクトプリンタや手書き等によって複写を取ることができる配送伝票用シートが提供される。
【発明を実施するための最良の形態】
【００１２】
次いで、本発明の実施形態を図１〜９を参照しながら以下に詳述する。
なお、図１は、本発明の配送伝票用シートの平面図であるとともに、上基材の表面を示す図であり、図２は、上基材の裏面を示す図である。
図３は、下基材の表面を示す図であり、図４は、本発明の配送伝票用シートの裏面図であるとともに、下基材の裏面を示す図である。
図５は、図１のＡ−Ａ断面図であり、図６は、図１のＢ−Ｂ断面図であり、図７は、図１のＣ−Ｃ断面図であり、図８は、図１のＤ−Ｄ断面図である。
図９は、当該配送伝票用シートの使用方法例を示したものである。
【００１３】
『構造例』
本形態の配送伝票用シートＸ１は、上基材１と下基材２とを有し、上基材の裏面１Ｂと下基材の表面２Ａとが対面するように積層された２層構造をなしている。
そして、特に図１に示すように、上基材の表面１Ａには、フレキソ印刷、オフセット印刷、グラビア印刷等の既知の印刷技術により枠欄や当該枠内に記載すべき情報を指定する表示等を印刷することで、第１情報記入部としての配達者控え１３と第１無記入部としての切り取り部１２と第５情報記入部としての宛先表示部１１とが形成されている。切り取り部１２については、特に印刷などにより記載内容を指定する必要がないが、上に掲げた印刷法によって何らかの説明書き等を施してもよい。
このうち特に切り取り部１２と配達者控え部１３とは隣接して配される。
【００１４】
なお、ここでの記載すべき情報とは、例えば、配送先情報、依頼主連絡先、整理番号、集配日、配達予定日、配送品名等である。
【００１５】
他方、切り取り部１２及び配達者控え部１３の各部は、矩形に配された切り取り補助線Ｌ１で全周囲まれて区画分けされており、上基材１の他の部分からそれぞれ分離可能となっている。  
【００１６】
また、図示の形態では、好ましい形態として、各部の縁が配送伝票用シートＸ１の縁Ｅに重ならないように、中央側に偏位して配されており、配送伝票用シートの周縁に余剰の周縁部Ｚｅが形成されている。
【００１７】
なお、本形態では、好ましく、切り取り補助線Ｌ１で矩形に囲まれる適宜の部のコーナーが小三角状にカットされたいわゆるコーナーカット４０が施されており、切り取り開始端として当該コーナーが摘みやすくなっている。
【００１８】
ここで、切り取り補助線Ｌ１とは、当該線に沿って切断されるように配した、ミシン目線、スリット線、ハーフスリット線などであり、最も好ましい切り取り補助線は、意図せず切断し難く、必要時に所定方向に向かって順次ミシン目線が裂けるジッパーミシン目線である。
【００１９】
他方、上基材の裏面１Ｂの切り取り部１２に対応する部位に余白部１５、配達者控え部１３に対応する部位に余白部１６が配されている。すなわち、前記切り取り部１２と余白部１５、前記配達者控え部１３と余白部１５とはそれぞれ表裏の関係となっている。
【００２０】
ここで、上基材１は前記下基材２に対して、余白部１５，１６の部位では非接着とされ、この非接着部分の外周縁に粘着部３０を有し、粘着部３０は離型処理がされていない非離型処理部３１と対応する部分に当たるため、剥離不能に接着されている。
【００２１】
従って、切り取り部１２及び配達者控え部１３については、切り取り補助線Ｌ１の切り取りにより上基材１の他の部分及び下基材２から分離され、切り抜かれるようにして各々別体のシートとなる。本形態では第１情報記入部は配達者控え部１３の１つのシートとなるが、必要に応じて切り取り補助線を入れ、２つ以上に分割する形態とすることも可能である。
【００２２】
さらに、上基材の裏面１Ｂには、宛先表示部１１の裏面に当たる部位及び前記粘着部３０の外周縁から前記余剰の周縁部Ｚｅを含み伝票の縁に至るまでの領域も粘着剤層１７とされている。ただし、この粘着剤層１７に対応する領域には、離型処理部２０Ｂがあり、上基材と下基材とは剥離可能に接着されている。
【００２３】
前記粘着部３０，粘着剤層１７は、ホットメルト粘着剤、アクリル系粘着剤、天然ゴム系粘着剤、合成ゴム系粘着剤、シリコーン系粘着剤等の既知の粘着剤が層状、薄膜状、網目状に配される。
【００２４】
粘着部３０，１７の厚さは、特に限定されない。通常は、１０〜５０μｍ、好ましくは２０〜３０μｍ程度である。１０μｍ以下だと粘着力が不足し、切取り片が紛失する恐れがあり、５０μｍ以上になると粘着剤が基材からはみ出す恐れがある。なお、上記掲げた粘着剤のなかで最も好ましいのは乾燥性に優れるホットメルト粘着剤である。
【００２５】
他方、前記剥離可能な接着部分である粘着剤層１７と剥離不能な接着部分である粘着部３０との境界線に対応する線上には、下基材にのみ分割補助線としてのスリットが形成されており、下基材の、粘着剤層１７と重なる部分のみを剥離し、粘着剤層１７を露出することが可能となっている。従って、この露出された粘着剤層１７を介して配送伝票用シートＸ１は、配送品に貼付可能となる。また、本形態では、剥離不能な粘着部３０の存在により上基材と下基材が剥離不能に接着されていることにより、下基材の上記剥離部分の剥離をより容易とする構成となっている。外周縁に配される粘着部３０の幅は５ｍｍ程度あればよい。
【００２６】
なお、剥離可能な粘着剤層１７と剥離不能な粘着部３０については、下記のとおり下基材の離型処理の有無等によって、その剥離可能であるか剥離不能であるかを相違させるようにするのがよいが、異なる粘着剤を用いて粘着剤層１７，３０を形成することでかかる相違を持たせることも可能である。ただし、同種の粘着剤を用いて、下基材の処理によって剥離可能及び剥離不能な粘着部とするのが望ましい。
【００２７】
他方、前記下基材表面２Ａの前記粘着剤層１７に対応する部位が、シリコーン、長鎖アルキルポリマー、ポリオレフィン、アルキド樹脂、フッ素化合物等の離型剤を層状、薄膜状、網目状に配した離型処理部２０Ｂがあるが、剥離不能な粘着部３０においては対応する部位に離型処理がされていない。従って、下基材２と上基材１とは、前記上基材１の粘着剤層１７を介して剥離可能に接着されている。
【００２８】
また、下基材表面２Ａ上の切り取り部１２と重なる位置にカーボン層２１を有し、カーボン層２１に隣接して第４情報記入部として第２複写部２２を有する。
【００２９】
他方、下基材の裏面２Ｂには、第２情報記入部として発送者控え部２４が配され、少なくともその一部が複写用情報記入部２３を形成している。前記複写用情報記入部２３は、前記カーボン層の裏に位置し、切り取り部１２に重なる形で配されている。また２Ｂには第３情報記入部としての受取人控え部２５と第６情報記入部としての受領証部２６が隣接しており、上基材の配達者控え部１３に重なる位置に配される。第６情報記入部として設けている受領証部２６は必要に応じて２つ以上に分割する形態をとることも可能である。
【００３０】
また、本形態の下基材２には、図示されるように複写用情報記入部２３と発送者控え部を含む部分と、受取人控え部２５、受領証部２６をそれぞれ分離可能とするミシン目線等の切り取り補助線Ｌ２が形成されている。本形態では、受取人控え部２５、受領証部２６に対応する下基材表面に受取人控、受領証等の印字をしておくことも可能で、配送者がどの部分が受領書かわかりやすくなる。
【００３１】
他方、本形態の配送伝票用シートＸ１における上基材１及び下基材２はノーカーボン紙であり、より詳細には、上基材１が、表面１Ａに発色剤層も顕色剤層も有さずかつ裏面１Ｂに第２複写機能層としての発色剤層１０Ａを有するいわゆる上用紙であり、下基材２が、表面２Ａに顕色剤層２０Ａを有し、裏面２Ｂに発色剤層も顕色剤層も有さない、いわゆる下用紙である。
【００３２】
本形態の配送伝票用シートＸ１では、上基材表面１Ａに第１複写部１４、切り取り部１２、下基材表面２Ａに第１複写機能層としてのカーボン層２１と第２複写部２２、下基材裏面２Ｂに複写用情報記入部２３が配されており、切り取り部１２を切り離し、切り離された開口部に相当するカーボン層２１を含む下基材の一部を、切り離された開口部から上基材側に折り返すことにより、複写用情報記入部２３、カーボン層２１、第１複写部１４及び第２複写部２２が重なり、また、それらの間に粘着剤層１７や粘着部３０が介在しないことから、下基材裏面２Ｂの複写用情報記入部２３に対して印圧をもって記入した情報が既知のカーボン紙、ノーカーボン紙の原理により第１複写部１４及び第２複写部２２に対して複写される。
【００３３】
なお、本発明において顕色剤層を構成する顕色剤、発色剤層を構成する発色剤、或いはノーカーボン紙の番手については、特に限定されない。手書き記入や用いるノンインパクトプリンタの使用を考慮して適宜選定すればよい。
【００３４】
なお、本発明の配送伝票用シートにおける複写機能については、この形態に限定されない。例えば、図示はしないが、第１複写機能層を有する下基材表面２Ａにカーボン層を設けず、下基材を、下基材表面２Ａに発色剤層と顕色剤層を有するセルフ紙としてもよい。その際、第１複写部を含む上基材１Ａに顕色層を設けることにより、第１複写機能層と対面した第１複写部への複写情報の表示が可能となる。また、ノーカーボン紙を用いずに、上基材裏面の第２複写部２２に対面する部分にカーボン層を設けたバックカーボン紙としてもよい。その際は、第２複写部表面、つまり下基材表面２Ａを、カーボン発色を妨げない構造とすることで被複写機能が発現する。
【００３５】
なお、本発明における各基材ベースとなる原紙は、特に限定されない。クラフト紙、上質紙、グラシン紙、パーチメント紙、レーヨン紙、コート紙等を使用することができる。
【００３６】
ただし、上基材１については、配送時に風雨に暴露される可能性があることから、耐水性に優れる基材とするのが望ましい。また、表面１Ａには湿潤紙力増強剤を塗布して湿潤時の紙力を向上させる処理をするのが望ましい。
【００３７】
また、本発明の配送伝票用シートにおいては、上述の複写機能を発揮させるべく、積層時における紙厚を３３５μｍ以下、特に２３０μｍ以下とするのが望ましい。紙厚が３３５μｍを超えると手書きで複写部に記入をした際、筆圧が弱いと、複写機能が発揮できなくなる可能性がある。また、ノンインパクトプリンタで印刷する際に紙詰まりが起こりやすくなる問題がある。
【００３８】
なお、第１情報記入部、第３情報記入部は内部に分割補助線を有してもよく、本配送用伝票用シートＸ１として、宛先表示部１１を第１情報記入部に、受領証部２６を第１情報記入部又は第３情報記入部に有する形態をとることも可能である。
【００３９】
『使用方法例』
次いで、上記本形態の配送伝票用シートＸ１の使用方法例を説明する。使用方法例を図９に示す。
まず、インクジェットプリンタ、レーザープリンタ等のノンインパクトプリンタによって、上基材の表面１Ａに形成された宛先表示部１１、配達者控え部１３、及び下基材の裏面２Ｂに形成された発送者控え部２４、受取人控え部２５、受領証部２６に必要な情報を印刷する。このとき、本配送伝票用シートＸ１は、１１及び１３、あるいは２４，２５及び２６が同一面に形成されているため、１１及び１３、あるいは２４，２５及び２６に対して一度に印字・印刷をすることができる。なお、ここでの必要な情報とは、例えば、受取人や依頼主の氏名・会社名・住所などの連絡先・配送先、配送品の品名等である。
【００４０】
ついで、切り取り部１２を切り取り補助線に従って切り取る（９−１）。切り取り部１２を切り取った開口部に露出されたカーボン層２１について、配達者控え部１３との隣接部以外の三片の切り取り補助線に従って切り（９−２）、１３との隣接部を折り返し線として、１３に２１が対面するように折り返す（９−３）。折り返されて１３の上に重なった複写用情報記入部２３に必要な情報を記入する。このとき情報記入部２３に対しては、手書き又はインパクトプリンタにより情報を記入する。この手書き又はインパクトプリンタによる複写用情報記入部２３へ情報記入を行なうと、前記複写機能によって第１複写部１４及び第２複写部２１に、当該記入情報と同じ情報が複写される。
【００４１】
この複写する情報は、特に限定されないが、受取人、配達業者、依頼主である発送者の間で共有したい情報等であり、例えば、配達業者において配送品を配送する過程で配送品が破損してしまった際の免責事項に対して依頼主が同意したことを表示する依頼主のサインや、配送品の内容について違法性がないことの宣誓情報等が挙げられる。
【００４２】
また、パソコン、家電などを修理や不良品回収等の諸事情のために販売メーカーが製品を回収する際や、引っ越しの荷物など、配達業者が預かる荷物の梱包作業を行うような配送システムにおいて本伝票を用いるのであれば、当該荷物の梱包前の状態を配達業者が書き入れるチェック欄や、このチェック欄の内容に相違がないことに同意する依頼主のサイン等も挙げられる。
【００４３】
したがって、上述の情報記入部、第１複写部、第２複写部を構成する枠欄や当該枠内に記載すべき情報を指定する表示等は、かかる情報に関する事項が例示できる。なお、発送者控え部２４における複写用条項記入部２３以外の部分に対する記入については、ノンインパクトプリンタ、インパクトプリンタ、手書きのいずれの記入態様をも採ることができ、特に限定されない。
【００４４】
発送者控え部２４を含む紙片を切り離し、発送者控えとする（９−４）。上基材裏面１Ｂの粘着剤層１７に対面している下基材表面２０Ｂは離型処理されており、スリットＳにより下基材の他の部分と分断されているので、下基材の２０Ｂに相当する部分は問題なく上基材から剥離され、それとともに上基材の粘着剤層１７が露出される。次いで、露出された上基材裏面１Ｂの粘着剤層１７を介して配送品に当該配送伝票用シートを貼付する。このとき、受取人控え部２５、受領証部２６には粘着剤が配されていないためこれらの部分は配送伝票用シートＸ１が配送品に貼付された後も配送品に対しては自由となっている。
【００４５】
発送者はこの状態において、配達業者や運送会社等の配達者に対して配送品を受け渡して、配送品の配送を依頼する。配達者は、配送品を受け取った後に、上基材１の配達者控え部１３に係る切り取り補助線Ｌ１を切断して、配達者控え部１３を別体にしてこれを配達者の控えとする（９−５）。この配達者控え部の少なくとも一部は、第１複写部となっているため、前記複写用情報記入部２３に記入した情報の複写が取られている。
【００４６】
配達者は、その後に宛先表示部等の表示にしたがって配送品を受取人へ配送し、受取人へ配送品を受け渡す。このとき、配達者は受領証部２６にかかる切り取り補助線Ｌ２を切断して配送品より分離し、これに受取人より受領確認の押印やサインをもらって受領証とする（９−６）。
【００４７】
配送品を受け取った受取人は、配送品の梱包を解いて梱包物を確認するとともに、Ｌ２を切断して受取人控え部２５を配送品より分離し、受取人控えとする（９−７）。このとき、本配送伝票用シートＸ１では、受取人控え部２５の裏に当たる部分が第２複写部２２となっており、前記複写情報記入部２３に記載された内容が複写されている。そのため、例えば複写された情報が梱包物の梱包前の状態に関する情報であれば梱包物と第２複写部２２の情報とを照合して配達時に梱包物の破損が生じなかったかを確認する。
【００４８】
かくして、配送品の配送が完了し、この時点で、発送者には自身で記入した情報記入部と依頼主控え情報とが手元に控えとして残り、配達業者には受領証と配達者控えと依頼主が記入した情報の複写が残り、受取人には受取人控えと依頼主が記入した情報の複写が残る。
【００４９】
このように本発明の配送伝票用シートは、上基材の表面の各部に記入した情報に基づいて、宛先への配達及び受領の確認といった配送の基本的機能が達成されるとともに、発送者が記入した情報の複写を配達業者及び受取人が得ることができる。
【００５０】
そして、その上基材の表面に配された配達の基本的機能を達成するための宛先表示部、受領証部、配達者控え部及び受取人控え部についてはノンインパクトプリンタによって情報を記入することができ、複写が必要な情報については、インパクトプリンタ、手書きによって記入することができる。
【００５１】
以上、詳述のとおり本発明の配送伝票用シートは、極めて利便性に優れるととともに機能的な配送伝票用シートである。
【産業上の利用可能性】
【００５２】
本発明は、配送品に貼付して用いる配送伝票用シートに利用可能できる。
【図面の簡単な説明】
【００５３】
【図１】本発明の配送伝票用シートの平面図であるとともに、上基材の表面を示す図である。
【図２】上基材の裏面を示す図である。
【図３】下基材の表面を示す図である。
【図４】本発明の配送伝票用シートの裏面図であるとともに、下基材の裏面を示す図である。
【図５】図１のＡ−Ａ断面図である。
【図６】図１のＢ−Ｂ断面図である。
【図７】図１のＣ−Ｃ断面図である。
【図８】図１のＤ−Ｄ断面図である。
【図９】本発明の配送伝票用シートの使用方法例である。
【符号の説明】
【００５４】
１…上基紙、１Ａ…上基材表面、１Ｂ…上基材裏面、２…下基材、２Ａ…下基材の表面、２Ｂ…下基材の裏面、Ｌ１，Ｌ２…切り取り補助線、Ｓ…スリット、１０Ａ…発色剤層、２０Ａ…顕色剤層、２０Ｂ…離型処理部、１１…宛先表示部、１２…切り取り部、１３…配達者控え部、１４…第１複写部、１５…余白部、１６…余白部、１７…粘着剤層、１８…剥離層、２１…カーボン層、２２…第２複写部、２３…複写用情報記入部、２４…発送者控え部、２５…受取人控え部、２６…受領証部、３０…粘着部、３１…非離型処理部、４０…コーナーカット隅部、Ｅ…配送伝票用シートの縁、Ｚｅ…配送伝票用シートの周縁部、Ｘ１…配送伝票用シート。
【図１】
2010089414.tif 000003
【図２】
2010089414.tif 000004
【図３】
2010089414.tif 000005
【図４】
2010089414.tif 000006
【図５】
2010089414.tif 000007
【図６】
2010089414.tif 000008
【図７】
2010089414.tif 000009
【図８】
2010089414.tif 000010
【図９】
2010089414.tif 000011